(57)【要約】【課題】  粒子シミュレーションにおいて、封入率が小さい場合に限らずある程度大きな封入率に対しても簡易に初期配置を決定する。【解決手段】  まず粒子の重なりを許して配置する。次いで、重なり合っている粒子同士の中心を結ぶ方向で重なった距離に相当するベクトルを定義し、算出されたベクトルの総和に基づいて移動量及び移動方向を決定して各粒子を移動させ、粒子同士の重なりの無い初期状態を得る。粒子の移動だけでは重なりが完全に除去されないときは、各粒子について重なり量に応じて粒子径を縮小させるとともに、減少した体積を小径の粒子で補填して所定の封入率となるようにする。【選択図】  図４
2006259910.tif 000002
【特許請求の範囲】
【請求項１】
粒子集団を解析領域に所定の封入率で封入する粒子充填シミュレーション装置であって、
粒子同士の重なりを許容しながら、前記解析領域内に前記所定の封入率を以って粒子を初期配置する粒子初期配置手段と、
前記粒子初期配置手段により前記解析領域内に封入された粒子間の重なり量を判定する粒子配置判定手段と、
前記粒子配置判定手段により判定された粒子間の重なりを除去する粒子重なり除去する粒子重なり除去手段と、
を具備することを特徴とする粒子充填シミュレーション装置。
【請求項２】
前記粒子重なり除去手段は、重なり合っている各粒子を互いに逆方向に所定の距離だけ移動させることで重なりの解消を試みる、
ことを特徴とする請求項１に記載の粒子充填シミュレーション装置。
【請求項３】
前記粒子重なり除去手段は、重なり合っている粒子同士の中心を結ぶ方向で重なった距離に相当する重なり除去ベクトルを定義し、各粒子について、算出された重なり除去ベクトルの総和に基づいて重なりを除去するための移動量及び移動方向を決定する、
ことを特徴とする請求項１に記載の粒子充填シミュレーション装置。
【請求項４】
前記粒子重なり除去手段によって重なりが完全に除去されない最終状態において、各粒子について重なり量に応じて粒子径を縮小させる粒子径設定手段と、
各粒子の粒子径を縮小させたことにより減少した体積を小径の粒子で補填して前記所定の封入率となるようにする小径粒子補填手段と、
をさらに備えることを特徴とする請求項１に記載の粒子充填シミュレーション装置。
【請求項５】
前記粒子初期配置手段は、前記所定の封入率が所定値未満のときには、前記解析領域を複数の立方体に分割し、各立方体内に１つずつ粒子を配置する、
ことを特徴とする請求項１に記載の粒子充填シミュレーション装置。
【請求項６】
粒子集団を解析領域に所定の封入率で封入する粒子充填シミュレーション方法であって、
粒子同士の重なりを許容しながら、前記解析領域内に前記所定の封入率を以って粒子を初期配置する粒子初期配置ステップと、
前記粒子初期配置ステップにおいて前記解析領域内に封入された粒子間の重なり量を判定する粒子配置判定ステップと、
前記粒子配置判定ステップにおいて判定された粒子間の重なりを除去する粒子重なり除去する粒子重なり除去ステップと、
を具備することを特徴とする粒子充填シミュレーション方法。
【請求項７】
前記粒子重なり除去ステップでは、重なり合っている各粒子を互いに逆方向に所定の距離だけ移動させることで重なりの解消を試みる、
ことを特徴とする請求項６に記載の粒子充填シミュレーション方法。
【請求項８】
前記粒子重なり除去ステップでは、重なり合っている粒子同士の中心を結ぶ方向で重なった距離に相当する重なり除去ベクトルを定義し、各粒子について、算出された重なり除去ベクトルの総和に基づいて重なりを除去するための移動量及び移動方向を決定する、
ことを特徴とする請求項６に記載の粒子充填シミュレーション方法。
【請求項９】
前記粒子重なり除去ステップにおいて重なりが完全に除去されない最終状態において、各粒子について重なり量に応じて粒子径を縮小させる粒子径設定ステップと、
各粒子の粒子径を縮小させたことにより減少した体積を小径の粒子で補填して前記所定の封入率となるようにする小径粒子補填ステップと、
をさらに備えることを特徴とする請求項６に記載の粒子充填シミュレーション方法。
【請求項１０】
前記粒子初期配置ステップでは、前記所定の封入率が所定値未満のときには、前記解析領域を複数の立方体に分割し、各立方体内に１つずつ粒子を配置する、
ことを特徴とする請求項６に記載の粒子充填シミュレーション方法。
【請求項１１】
粒子集団を解析領域に所定の封入率で封入するための処理をコンピュータ・システム上で実行するようにコンピュータ可読形式で記述されたコンピュータ・プログラムであって、前記コンピュータ・システムに対し、
粒子同士の重なりを許容しながら、前記解析領域内に前記所定の封入率を以って粒子を初期配置する粒子初期配置手順と、
前記粒子初期配置手順により前記解析領域内に封入された粒子間の重なり量を判定する粒子配置判定手順と、
前記粒子配置判定手順により判定された粒子間の重なりを除去する粒子重なり除去する粒子重なり除去手順と、
を実行させることを特徴とするコンピュータ・プログラム。
【発明の詳細な説明】
【技術分野】
【０００１】
本発明は、粉体挙動のシミュレーションを行なう際の、その初期状態として解析対象となる粒子を解析領域に封入する処理を行なう粒子充填シミュレーション装置及び粒子充填シミュレーション方法、並びにコンピュータ・プログラムに関する。
【０００２】
さらに詳しくは、本発明は、規定された体積当たりの充填率をパラメータとして変化させながら粒子充填シミュレーションを行なう粒子充填シミュレーション装置及び粒子充填シミュレーション方法、並びにコンピュータ・プログラムに関する。
【背景技術】
【０００３】
粉体や粒体などの粒子を取り扱う分野では、粒子の挙動を把握することか重要な課題である。従来は、このような粒子の挙動を試行錯誤の実験により把握することが多かった。このような場合、現実に用いる粒子の組成、実機に近い実験装置や実験環境を用意しなければ、粒子の挙動解析を行なうことはできない。また、これらの仕様を変更する度に改めて実験しなければならず、時間やコストの面で問題があった。
【０００４】
そこで、最近では、粉体や粒体などの粒子の挙動を数式化若しくはモデル化し、ほぼ同じ法則に支配されるシステムの挙動をコンピュータ上で模擬すること、すなわちシミュレーションが広く利用されている。シミュレーション技術を利用することにより、粒子の挙動を現実に体験する前に予測することができる。また、投入する条件やパラメータを変えて、同じシミュレーション計算を繰り返し行なうことにより、さまざまな粒子組成や装置設計・制御体系の性能を評価することができる。シミュレーションによれば、実験を行なう場合に比較して、より最適な解を低コストで得ることができる。さらに、シミュレーションにより得られたパラメータに基づいてシステムを制御し、システムのエラーを回避することができる。
【０００５】
粉体を取り扱う装置の代表例として、電子写真技術を利用した複写機やプリンタなどの画像形成装置を挙げることができる。この場合、画像構成剤としてのトナー及びトナーを搬送するための磁性体からなるキャリアという２成分からなる現像剤を粉体挙動解析の対象として取り扱う。電子写真プロセスは、電子写真感光体に対する帯電、スキャンした原稿イメージの露光、現像すなわち感光体へのトナー重畳、用紙へのトナー転写及びトナー定着、感光体のクリーニングという複数の工程からなる。このような電子写真プロセスでは、例えば攪拌、現像、転写などの各プロセスにおいて粉体挙動解析シミュレーションを適用することで、現実に画像形成実験を行なうことなく、形成される画像を予測し評価することができる。
【０００６】
粉体挙動解析の主な手法として、粉体毎の挙動を解析する個別要素法（例えば、非特許文献１を参照のこと）と、複数の粉体を等価な物性値を持つ流体モデルに置き換えて解析する方法などが挙げられる。
【０００７】
前者の個別要素法によれば、すべての粒子に作用するさまざまな力（例えば、弾性力や粘性力などの接触による作用力、ファンデルワース力や鏡像力、液架橋力などの外力）を基に運動方程式を立てて、粒子毎の挙動を解析するので、より現実に近い評価を行なうことができる。反面、取り扱う粒子数が膨大になると計算量が増大するという問題がある。計算コスト上見合わない場合には、後者の隆替モデルを用いた解析方法が適宜採り入れられる。
【０００８】
このような粉体挙動のシミュレーションを行なう場合、解析領域内で解析対象となる各粒子の初期状態を決定する必要がある。この初期配置を行なう際、解析領域内における粒子の充填率をあらかじめ決めて、粒子を解析領域に封入する必要がある。
【０００９】
ところが、粒子を用いたシミュレーションにおいて初期状態を決定する際、封入する粒子体積の解析領域の体積に対する比率が高くなるほど、粒子を重ならないように初期配置を決定することが難しくなっていく、という問題がある。
【００１０】
例えば、粒子集合体を所定の大きさの空間内に配置し、重心が低い粒子から自然落下させ、その落下プロセスで、水平方向の自由度、既設置粒子を透過する条件として粒子透過係数＝既設置粒子の粒径／落下粒子の粒径を与え、最下部に粒子を設置して粒子充填構造をシミュレートする粒子充填構造シミュレーション方式について提案がなされている（例えば、特許文献１を参照のこと）。この場合、粒径度数分布より直接粒子充填構造が得られ、粒径度数分布の最適化が可能となる。既知の粒径分布を持った粒子を適当な広さの領域にランダムに配置し、それらが堆積する過程をシミュレートすることで粒子の充填率を算出することができるが、充填率をパラメータとして変化させながら粒子充填シミュレーションを行なうことはできない。
【００１１】
また、分子動力学の分野において、粒子系の相互作用を記述するポテンシャル関数又は力関数を用いて、粒子集団の平衡配置を初期配置として粒子系のシミュレーションを行なう装置及び方法について提案がなされている（例えば、特許文献２を参照のこと）。この場合、粒子間ポテンシャル関数が小さくなるように粒子は位置が決定されるが、言い換えれば、粒子間のポテンシャル関数などを決定しなければならない。また、解析対象である粒子を剛体球として扱う場合にはこの方法を適用することはできない。
【００１２】
【特許文献１】特開平８−１９０５７６号公報
【特許文献２】特開２０００−２６８０６４号公報
【非特許文献１】粉体工学会「粉体シミュレーション入門―コンピュータで粉体技術を創造する―」（産業図書株式会社、１９９８年３月３０日）、第３章「粒子要素法シミュレーション」
【発明の開示】
【発明が解決しようとする課題】
【００１３】
本発明の目的は、粉体挙動のシミュレーションを行なう際の、その初期状態として解析対象となる粒子を解析領域に封入する処理を好適に行なうことができる、優れた粒子充填シミュレーション装置及び粒子充填シミュレーション方法、並びにコンピュータ・プログラムを提供することにある。
【００１４】
本発明のさらなる目的は、規定された体積当たりの充填率をパラメータとして変化させながら粒子充填シミュレーションを好適に行なうことができる、優れた粒子充填シミュレーション装置及び粒子充填シミュレーション方法、並びにコンピュータ・プログラムを提供することにある。
【００１５】
本発明のさらなる目的は、粒子を用いたシミュレーションにおいて初期状態を決定する際、封入する粒子体積の解析領域の体積に対する比率が高くなっても、粒子を重ならないように初期配置を決定することができる、優れた粒子充填シミュレーション装置及び粒子充填シミュレーション方法、並びにコンピュータ・プログラムを提供することにある。
【課題を解決するための手段】
【００１６】
本発明は、上記課題を参酌してなされたものであり、その第１の側面は、粒子集団を解析領域に所定の封入率で封入する粒子充填シミュレーション装置であって、粒子同士の重なりを許容しながら、前記解析領域内に前記封入率を以って粒子を初期配置する粒子初期配置手段と、前記粒子初期配置手段により前記解析領域内に封入された粒子間の重なり量を判定する粒子配置判定手段と、前記粒子配置判定手段により判定された粒子間の重なりを除去する粒子重なり除去する粒子重なり除去手段とを具備することを特徴とする粒子充填シミュレーション装置である。
【００１７】
粉体挙動のシミュレーションを行なう場合、その初期状態を決定するための方法として、充填率を決めて解析対象となる粒子を解析領域に封入する必要がある。このとき、封入する粒子体積の解析領域の体積に対する比率が高くなるほど、粒子を重ならないように初期配置を決定することが難しくなるという問題がある。
【００１８】
そこで、本発明では、粒子を用いたシミュレーションにおいて指定した体積率で粒子を封入し初期配置を決定する際に、まず粒子の重なりを許して配置した後、重なりを除去する方向に粒子を移動させることで粒子同士の重なりの無い初期状態を得るようにしている。
【００１９】
例えば、まず粒子の重なりを許して配置した後、重なり合っている各粒子を互いに逆方向に所定の距離だけ移動させることで重なりの解消を試みる。
【００２０】
各粒子を移動して重なりを除去する際、重なり合っている粒子同士の中心を結ぶ方向で重なった距離に相当する重なり除去ベクトルを定義し、各粒子について、算出された重なり除去ベクトルの総和に基づいて重なりを除去するための移動量及び移動方向を決定するようにしてもよい。
【００２１】
また、各粒子を移動しても、重なりが完全に除去されない最終状態が想定される。このような場合、各粒子について重なり量に応じて粒子径を縮小させて、重なりを完全に除去することができる。そして、各粒子の粒子径を縮小させたことにより減少した体積を小径の粒子で補填することにより、解析領域内を指定された任意の封入率となるようにすることができる。
【００２２】
また、封入率が所定値未満のときには、配置領域を複数の立方体に分割し、各立方体内に１つずつ粒子を配置していくことにより、初期配置の段階で粒子同士の重なりを生じさせないようにすることが容易に実現できる。
【００２３】
また、本発明の第２の側面は、粒子集団を解析領域に所定の封入率で封入するための処理をコンピュータ・システム上で実行するようにコンピュータ可読形式で記述されたコンピュータ・プログラムであって、前記コンピュータ・システムに対し、粒子同士の重なりを許容しながら、前記解析領域内に前記封入率を以って粒子を初期配置する粒子初期配置手順と、前記粒子初期配置手順により前記解析領域内に封入された粒子間の重なり量を判定する粒子配置判定手順と、前記粒子配置判定手順により判定された粒子間の重なりを除去する粒子重なり除去する粒子重なり除去手順とを実行させることを特徴とするコンピュータ・プログラムである。
【００２４】
本発明の第２の側面に係るコンピュータ・プログラムは、コンピュータ・システム上で所定の処理を実現するようにコンピュータ可読形式で記述されたコンピュータ・プログラムを定義したものである。換言すれば、本発明の第２の側面に係るコンピュータ・プログラムをコンピュータ・システムにインストールすることによって、コンピュータ・システム上では協働的作用が発揮され、本発明の第１の側面に係る粒子充填シミュレーション装置と同様の作用効果を得ることができる。
【発明の効果】
【００２５】
本発明によれば、粉体挙動のシミュレーションを行なう際の、その初期状態として解析対象となる粒子を解析領域に封入する処理を好適に行なうことができる、優れた粒子充填シミュレーション装置及び粒子充填シミュレーション方法、並びにコンピュータ・プログラムを提供することができる。
【００２６】
また、本発明によれば、規定された体積当たりの充填率をパラメータとして変化させながら粒子充填シミュレーションを好適に行なうことができる、優れた粒子充填シミュレーション装置及び粒子充填シミュレーション方法、並びにコンピュータ・プログラムを提供することができる。
【００２７】
本発明によれば、粒子を用いたシミュレーションにおいて初期状態を決定する際、封入する粒子体積の解析領域の体積に対する比率が高くなっても、粒子を重ならないように初期配置を決定することができる、優れた粒子充填シミュレーション装置及び粒子充填シミュレーション方法、並びにコンピュータ・プログラムを提供することができる。
【００２８】
本発明によれば、粒子シミュレーションにおいて規定の封入率を満たすように粒子を封入する場合、封入率が小さい場合に限らずある程度大きな封入率に対しても簡易に初期配置を決定することができる。
【００２９】
本発明のさらに他の目的、特徴や利点は、後述する本発明の実施形態や添付する図面に基づくより詳細な説明によって明らかになるであろう。
【発明を実施するための最良の形態】
【００３０】
以下、図面を参照しながら本発明の実施形態について詳解する。
【００３１】
粉体挙動のシミュレーションを行なう場合、その初期状態を決定するための方法として、充填率を決めて解析対象となる粒子を解析領域に封入する必要がある。図１には、粒子シミュレーションの対象となる粒子封入系を示している。このような粒子シミュレーションの対象の例として、活性炭吸着層の性能評価シミュレーション手の粒子配置決定や、球状のゲル剤を透明な媒質中に分散させた場合の光の透過率シミュレーションでの粒子配置決定、離散要素法などを用いた粒子シミュレーションでの粒子初期配置決定などを挙げることができる。
【００３２】
本発明に係る粒子充填シミュレーション装置は、粉体挙動のシミュレーションを行なう場合、その初期状態を決定するための方法として、充填率を決めて解析対象となる粒子を解析領域に封入する。図２には、本発明の一実施形態に係る粒子充填シミュレーション装置のシステム構成を概略的に示している。当該システムは、処理装置１と表示装置２で構成される。かかるシステムは、専用のハードウェア装置として設計・製作することも可能であるが、パーソナル・コンピュータ（ＰＣ）などの一般的な計算機上で所定のアプリケーションを実行するという形態で実現することも可能である。
【００３３】
処理装置１は、条件設定手段１０と、数値計算手段２０と、情報記憶手段３０と、情報集計手段４０と、シミュレーション表示手段５０を備えている。
【００３４】
条件設定手段１０は、粒子の封入率や粒径の平均値や分散などを設定する粒子条件設定手段１１と、解析領域のサイズや周期境界条件などの条件を設定する境界条件設定手段１２と、計算を終了する時刻及び条件計算結果の出力形式などの設定を行なう計算条件設定手段１３で構成される。
【００３５】
粒子配置手段２０は、粒子の位置を決定する粒子配置設定手段２１と、粒子同士のお互いの重なり量を調査する粒子配置判定手段２２と、発生させる粒子の粒子径の決定並びに調整を行なう粒子径設定手段２３で構成される。
【００３６】
情報記憶手段３０は、各時刻における粒子の状態を記憶する粒子情報記憶手段３１と、各時刻における境界の状態を記憶する境界条件記憶手段３２で構成される。
【００３７】
粒子充填シミュレーションの最終的な結果などは、情報集計手段４０により集計された後、シミュレーション表示手段５０によって、配置された粒子の座標や各種統計などが表示装置２上に出力されるかファイルなどに出力される。
【００３８】
粒子充填シミュレーションでは、充填率を決めて解析対象となる粒子を解析領域に封入する。このとき、封入する粒子体積の解析領域の体積に対する比率が高くなるほど、粒子を重ならないように初期配置を決定することが難しくなる。本実施形態では、粒子配置手段２０は、粒子を用いたシミュレーションにおいて指定した体積率で粒子を封入し初期配置を決定する際に、まず粒子の重なりを許して配置した後、重なりを除去する方向に粒子を移動させることで粒子同士の重なりの無い初期状態を得るようにしている。
【００３９】
粒子配置手段２０は、まず粒子の重なりを許して配置した後、重なり合っている各粒子を互いに逆方向に所定の距離だけ移動させることで重なりの解消を試みる。また、各粒子を移動しても、重なりが完全に除去されない最終状態が想定される。このような場合、各粒子について重なり量に応じて粒子径を縮小させて、重なりを完全に除去することができる。そして、各粒子の粒子径を縮小させたことにより減少した体積を小径の粒子で補填して前記所定の封入率となるようにするようにする。
【００４０】
図３には、このような粒子充填処理を行なう場合に、粒子配置手段２０が実行する処理手順をフローチャートの形式で示している。
【００４１】
ステップＳ５１では、粒子位置設定手段２１及び粒子径設定手段２３により、初期状態として、粒子は粒径分布と封入率に応じてランダムに重なりを許して配置される。
【００４２】
次いで、ステップＳ５２では、粒子重なり除去が行なわれる。具体的には、粒子配置判定手段２２により重なりを検出された後、粒子配置設定手段２１により重なりを除去する方向に各粒子を移動させる。
【００４３】
粒子重なり除去の処理では、重なり合っている各粒子を互いに逆方向に所定の距離だけ移動させることで重なりの解消を試みる。例えば、各粒子を移動して重なりを除去する際、重なり合っている粒子同士の中心を結ぶ方向で重なった距離に相当する重なり除去ベクトルを定義し、各粒子について、算出された重なり除去ベクトルの総和に基づいて重なりを除去するための移動量及び移動方向を決定する。
【００４４】
図４には、この場合の粒子位置調整手段２１による粒子位置調整方法を概略的に示している。同図では、３個の粒子１１１、１１２、１１３が重なっている例を示している。粒子１１１への粒子１１２及び粒子１１３の重なり量を示すベクトルをそれぞれＶ１１２及びＶ１１３とする。このとき、粒子１１１の移動量及び移動方向を示すベクトルＶ１１１は、粒子１１２との重なりを除去するためのベクトルＶ１１２と、粒子１１３との重なりを除去するためのベクトルＶ１１３の和で求められたベクトルを基に決定する。
【００４５】
すべての粒子についてステップＳ５２における粒子重なり除去が終了した後、ステップＳ５３では、粒子配置判定手段２２を用いて全粒子の重なり量の統計を取る。本実施形態では粒子配置判定手段２２によって各粒子について周辺粒子と重なりベクトルを計算し各重なりベクトルの長さの和を粒子半径で除したものの全粒子に関する最大値と規定量を比較する。
【００４６】
この粒子配置判定の結果、粒子の重なり量が規定の量以上で繰り返し回数が規定回数Ｎ１以下であれば、ステップＳ５２に戻って、上述した処理を再度行なう。
【００４７】
また、上述した粒子配置により粒子間の重なりが完全に除去されない最終状態では、粒子の移動以外の解決方法を実行する。本実施形態では、各粒子について重なり量に応じて粒子径を縮小させて、重なりを完全に除去する。そして、各粒子の粒子径を縮小させたことにより体積が減少することになるが、小径の粒子で補填することにより、所定の封入率となるようにする。
【００４８】
フローチャートに即して説明すれば、粒子の重なり量がゼロ以上で繰り返し回数が規定回数Ｎ１以上規定回数Ｎ２以下の場合には、ステップＳ５４では、計算された各粒子の重なりベクトル長さから各粒子の半径を縮小し、縮小した全粒子の体積分を補うため粒子位置設定手段２１及び粒子径設定手段２３によって既に配置された粒子の径よりも小さい粒子を封入し規定の封入率に調整する。その後、ステップＳ５２に戻り、粒子位置の調整を再度行なう。
【００４９】
また、封入率が所定値未満のときには、粒子配置手段２０は、配置領域を複数の立方体に分割し、各立方体内に１つずつ粒子を配置して、初期配置の段階で粒子同士の重なりを生じさせないようにすることができる。図５には、この様子を示している。
【００５０】
図３に示したフローチャートのステップＳ５１において、粒子の封入率が３０％以下程度の少ない場合には、解析領域２００を小さい分割領域２０１に分割する。そして、各分割領域２０１に対して粒子を配置することで、初期配置を高速に行なうことができる。
【産業上の利用可能性】
【００５１】
以上、特定の実施形態を参照しながら、本発明について詳解してきた。しかしながら、本発明の要旨を逸脱しない範囲で当業者が該実施形態の修正や代用を成し得ることは自明である。
【００５２】
本発明は、例えば、活性炭吸着層の性能評価シミュレーション手の粒子配置決定や、球状のゲル剤を透明な媒質中に分散させた場合の光の透過率シミュレーションでの粒子配置決定、離散要素法などを用いた粒子シミュレーションでの粒子初期配置決定などに適用することができる。
【００５３】
要するに、例示という形態で本発明を開示してきたのであり、本明細書の記載内容を限定的に解釈するべきではない。本発明の要旨を判断するためには、特許請求の範囲の記載を参酌すべきである。
【図面の簡単な説明】
【００５４】
【図１】図１は、粒子シミュレーションの対象となる粒子封入系を示した図である。
【図２】図２は、本発明の一実施形態に係る粒子充填シミュレーション装置のシステム構成を概略的に示した図である。
【図３】図３は、粒子配置手段２０が実行する処理手順を示したフローチャートである。
【図４】図４は、粒子位置調整手段２１による粒子位置調整方法を説明するための図である。
【図５】図５は、配置領域を複数の立方体に分割し、各立方体内に１つずつ粒子を配置して、初期配置の段階で粒子同士の重なりを生じさせないようにする様子を示した図である。
【符号の説明】
【００５５】
１００…解析領域
１０１…粒子
１…処理装置
２…表示装置
１０…条件設定手段
１１…粒子条件設定手段
１２…境界条件設定手段
１３…計算条件設定手段
２０…粒子配置手段
２１…粒子位置設定手段
２２…粒子径設定手段
２３…粒子挙動計算手段
３０…情報記憶手段
３１…粒子情報記憶手段
３２…境界条件記憶手段
４０…情報集計手段
５０…シミュレーション表示手段
【図１】
2006259910.tif 000003
【図２】
2006259910.tif 000004
【図３】
2006259910.tif 000005
【図４】
2006259910.tif 000006
【図５】
2006259910.tif 000007